(57)【要約】【課題】複数の植物をより確実に一定品質で栽培可能な栽培施設を提供することにある。【解決手段】栽培鉢１０を用いて植物（例えばパイナップルＰ）を栽培するための栽培施設２において、栽培施設２の中に、複数の栽培鉢１０を支持可能な支持部２１，２２が栽培施設２内の地面ＧＲの上方に掛け渡されているとともに、複数の栽培鉢１０が、それぞれ支持部２１，２２に支持されることで栽培施設２内の地面ＧＲから離間して配置されている。【選択図】図３
2018117612.tif 000002
【特許請求の範囲】
【請求項１】
栽培鉢を用いて植物を栽培するための栽培施設において、
前記栽培施設の中に、複数の栽培鉢を支持可能な支持部が前記栽培施設内の地面の上方に掛け渡されているとともに、前記複数の栽培鉢が、それぞれ前記支持部に支持されることで前記栽培施設内の地面から離間して配置されている栽培施設。
【請求項２】
一対の前記支持部が適宜の間隔で前記栽培施設内の地面に沿って平行に掛け渡されているとともに、前記複数の栽培鉢が、前記一対の支持部の間に支持されることで、前記支持部の掛け渡し方向に並列して配置され、
前記一対の支持部に支持されている複数の栽培鉢が、各々、前記一対の支持部に沿って支持部の掛け渡し方向に移動可能とされている請求項１に記載の栽培施設。
【請求項３】
前記支持部は、前記栽培施設内に配置されている基台に取付けられた状態で、前記栽培施設内の地面の上方に掛け渡されており、
前記基台は、前記栽培施設内に取入れられる日光が当たるように前記支持部を保持している保持部と、前記保持部を前記地面に対して傾倒させるヒンジ部と、前記保持部を所定の傾倒状態で維持している維持部とを有している請求項１又は２に記載の栽培施設。
【請求項４】
前記支持部は、前記栽培施設内に配置されている基台に取付けられた状態で、前記栽培施設内の地面の上方に掛け渡されており、
前記基台は、前記支持部を保持している保持部と、前記保持部を支持し且つ地面上を走行可能な台車部とを有し、
前記栽培施設には、前記栽培施設の内外への前記基台の移動を可能とする開放部が設けられている請求項１〜３のいずれか一項に記載の栽培施設。
【請求項５】
前記支持部に支持されている各栽培鉢内の植物に上方から散水可能な散水装置を有している請求項１〜４のいずれか一項に記載の栽培施設。
【請求項６】
前記植物が、ｐｈ６以下の酸性の培地を好む植物であるとともに、
前記各栽培鉢内に収納されている培地として、ピートモスとココヤシピートの少なくとも一方と、多孔質無機物とを混合することでｐｈ６以下に調整された培地が用いられている請求項１〜５のいずれか一項に記載の栽培施設。
【発明の詳細な説明】
【技術分野】
【０００１】
本発明は、栽培鉢を用いて植物を栽培するための栽培施設に関する。
【背景技術】
【０００２】
一般的な植物栽培の手法として、屋外で植物を栽培する露地栽培と、屋内で植物を栽培する施設栽培が広く知られている。しかし露地栽培は、作付面積が広大となるため収益率が低く、また外部環境の影響で植物の品質が一定にならないなどの問題があった。例えば沖縄県では、赤土土壌を利用したパイナップルの露地栽培が行われているが、この沖縄県のパイナップル栽培は、上述の問題とともに人手不足などの影響も重なって年々減少傾向にある。このため収益率と植物の品質安定化の観点などから、露地栽培から施設栽培への転換が望まれていた。
【０００３】
そこで特許文献１に開示の栽培方法では、ドーム状のハウス内において、土壌を盛り上げた高うねでパイナップルを栽培するとともに、この高うねをプラスチックフィルムで覆っておく。こうすることで雨水などの外的要因を排除して土壌水分の安定化を図る（外部環境の影響を極力排除する）ことにより、露地栽培に比して効率良くパイナップルを栽培することが可能となる。
【先行技術文献】
【特許文献】
【０００４】
【特許文献１】特許第２８９２０６０号公報
【発明の概要】
【発明が解決しようとする課題】
【０００５】
しかし公知技術の栽培方法は、ハウス内の土壌をそのまま利用しているため、複数のパイナップルを一定の品質で栽培するにはやや不向きの構成であった。すなわち複数のパイナップルを地続きの土壌で栽培すると、各パイナップルの根量にバラつきが生じ、また土壌近くの通気性や排水性などに偏りが生じるなどして、実の大きさが一定にならないことがある。さらに公知技術の栽培方法は、土壌の条件（ｐｈ等）によって、栽培可能な植物の種類が限定されてしまう。なお複数の植物を栽培する場合、植物の成長に合わせて間引きを行う必要があるが、公知技術では露地栽培と同様の手間がかかってしまう。本発明は上述の点に鑑みて創案されたものであり、本発明が解決しようとする課題は、複数の植物をより確実に一定品質で栽培可能な栽培施設を提供することにある。
【課題を解決するための手段】
【０００６】
上記課題を解決するための手段として、第１発明の栽培施設は、栽培鉢を用いて植物を栽培するための栽培施設であり、この種の栽培施設では、複数の植物をより確実に一定品質で栽培できることが望まれる。そこで本発明では、栽培施設の中に、複数の栽培鉢を支持可能な支持部が栽培施設内の地面の上方に掛け渡されている。そして複数の栽培鉢が、それぞれ支持部に支持されることで栽培施設内の地面から離間して配置されている。本発明では、各栽培鉢で植物を栽培することにより、地続きの土壌を用いた場合に比して各植物の根量を極力一定にすることが可能となる。さらに支持部によって各栽培鉢を栽培施設内の地面から離間させたことで、栽培施設内の通気性を向上させるとともに、各栽培鉢の排水性を向上させることができる。
【０００７】
また第２発明の栽培施設は、第１発明の栽培施設において、一対の支持部が適宜の間隔で栽培施設内の地面に沿って平行に掛け渡されているとともに、複数の栽培鉢が、一対の支持部の間に支持されることで、支持部の掛け渡し方向に並列して配置されている。そして一対の支持部に支持されている複数の栽培鉢が、各々、一対の支持部に沿って支持部の掛け渡し方向に移動可能とされている。本発明では、一対の支持部によって各栽培鉢をバランスよく支持することができる。そして各栽培鉢を、植物の成長に応じて互いに離間させる向きにバランスを保ったまま移動させることができるため、間引きの作業を露地栽培に比して格段に簡略化することができる。
【０００８】
また第３発明の栽培施設は、第１発明又は第２発明の栽培施設において、支持部は、栽培施設内に配置されている基台に取付けられた状態で、栽培施設内の地面の上方に掛け渡されている。そして基台は、栽培施設内に取入れられる日光が当たるように支持部を保持している保持部と、保持部を地面に対して傾倒させるヒンジ部と、保持部を所定の傾倒状態で維持している維持部とを有している。本発明では、基台にヒンジ部と維持部を設けたことにより、保持部を、支持部とともに適宜の向きに傾倒させてその傾倒状態を維持することができる。こうすることで支持部に支持されている栽培鉢内の植物を、一年を通して日光がより多く当たる状態で栽培施設内に配置しておくことができる。
【０００９】
また第４発明の栽培施設は、第１発明〜第３発明のいずれかの栽培施設において、支持部は、栽培施設内に配置されている基台に取付けられた状態で、栽培施設内の地面の上方に掛け渡されている。そして基台は、支持部を保持している保持部と、保持部を支持し且つ地面上を走行可能な台車部とを有し、栽培施設には、栽培施設の内外への基台の移動を可能とする開放部が設けられている。本発明では、支持部が取付けられている基台を、台車部を走行させて栽培施設の中の所定位置に配置しておくことができる。そして栽培施設に開放部を設けておくことにより、基台を、支持部に支持された栽培鉢とともに栽培施設外（培地の保管場所等）から栽培施設内に移動させたのち、栽培施設内の適宜の位置に配置させておくことが可能となる。
【００１０】
また第５発明の栽培施設は、第１発明〜第４発明のいずれかの栽培施設において、支持部に支持されている各栽培鉢内の植物に上方から散水可能な散水装置を有している。本発明では、散水装置によって上方から植物に散水することができるため、例えばパイナップルに代表される上方からの散水を好む植物を好適に栽培することができる。
【００１１】
また第６発明の栽培施設は、第１発明〜第５発明のいずれかの栽培施設において、植物が、ｐｈ６以下の酸性の培地を好む植物であるとともに、各栽培鉢内に収納されている培地として、ピートモスとココヤシピートの少なくとも一方と、多孔質無機物とを混合することでｐｈ６以下に調整された培地が用いられている。本発明では、所望の酸性を備えた培地を用いることで、パイナップルに代表される酸性の培地を好む植物を好適に栽培することができる。
【発明の効果】
【００１２】
本発明に係る第１発明によれば、複数の植物をより確実に一定品質で栽培可能な栽培施設を提供することができる。また第２発明によれば、複数の植物をより確実に一定品質で栽培し、さらに栽培作業を簡略化することができる。また第３発明によれば、複数の植物を更に確実に一定品質で栽培することができる。また第４発明によれば、複数の植物をより確実に一定品質で栽培し、さらに栽培作業をより簡略化することができる。また第５発明によれば、上方からの散水を好む複数の植物をより確実に一定品質で栽培することができる。そして第６発明によれば、酸性の土壌を好む複数の植物をより確実に一定品質で栽培することができる。
【図面の簡単な説明】
【００１３】
【図１】栽培施設の模式図である。
【図２】栽培装置の中を上方から見た概略上面図である。
【図３】栽培施設一部の拡大模式図である。
【図４】栽培鉢の上面図である。
【図５】栽培鉢の正面図である。
【図６】栽培鉢の側面図である。
【図７】支持部を備えた架台の側面図である。
【図８】支持部の一部と栽培鉢の斜視図である。
【図９】実施例２にかかる栽培施設の模式図である。
【図１０】実施例２にかかる基台と支持部の正面図である。
【図１１】実施例２にかかる基台と支持部の側面図である。
【図１２】実施例２にかかる基台と支持部の背面図である。
【図１３】実施例２にかかる基台と支持部の一部拡大正面図である。
【図１４】実施例２にかかる基台と支持部の一部拡大背面図である。
【図１５】実施例２にかかる基台と支持部と栽培鉢の側面図である。
【図１６】適宜の角度に保持部を傾倒させている状態を示す実施例２にかかる基台と支持部の側面図である。
【発明を実施するための形態】
【００１４】
以下、本発明を実施するための形態を、図１〜図１６を参照して説明する。各図には、栽培施設又は各構成要素の前後方向と上下方向と左右方向を示す矢線を適宜図示することがある。また図１及び図２では、便宜上、一部の栽培鉢及び架台にのみ符号を付し、その他の栽培鉢及び架台の符号を省略する。また図９では、一部の栽培鉢にのみ符号を付し、その他の栽培鉢の符号を省略する。そして図４〜図８及び図１０〜図１６では、栽培鉢又は架台の前後方向と上下方向と左右方向を、これらが栽培施設の中に配置された状態を基準として規定している。
【００１５】
［実施例１（栽培施設の概要）］
図１〜図３に示す栽培施設２は、後述の栽培鉢１０を用いて植物（各図ではパイナップルＰ）を栽培するための施設であり、四方を囲っている壁体４と、切妻屋根６を備えている。そして図１を参照して、壁体４の後部上側には、外気を栽培装置内に導き入れる送風ファン５が設けられ、壁体４と切妻屋根６の適所には、施設外に連通可能な複数の通気窓７が設けられている。また栽培施設２の中には、複数の栽培鉢１０と、複数の架台２０（一対の支持部２１，２２）と、複数の散水装置３０と、図示しない各種灌漑設備や冷暖房装置が設置されている（各部材の詳細と配置手法は後述）。また図２を参照して、栽培施設２の外には、散水装置３０に給水する給水装置９が設置されており、この給水装置９は、枝分かれした給水管９ａと複数の開閉弁９ｂと手動弁９ｃを通じて対応する散水装置３０につながっている。そして本実施例では、外部環境からの影響を極力避けるため、栽培施設２の中で複数の植物を栽培するのであるが、この種の栽培施設２では、複数の植物をより確実に一定品質で栽培できることが望まれる。そこで本実施例では、後述する栽培施設２の構成によって、複数の植物をより確実に一定品質で栽培することとした。以下、各構成について詳述する。
【００１６】
［栽培鉢］
栽培施設２中の複数の栽培鉢１０は、略同一の基本構成を有しているため、一つの栽培鉢１０を一例にその詳細を説明する。なお栽培鉢１０の素材は特に限定しないが、比較的軽量で且つ適度な剛性を備えた樹脂であることが望ましい。この栽培鉢１０は、図４〜図６を参照して、植物と培地を収容可能な収容部１２と、この収容部１２の上端に一体化されている鍔部１４を有している。収容部１２は、概ね八角柱状をなす中空の筒状部位であり、略八角形状の上部開口１２ａと、底壁１２ｂと、上部開口１２ａと底壁１２ｂをつなぐ周側壁１２ｃと、複数のスリット１２ｄを有している（図４では、便宜上、底壁にのみハッチを付けて図示している）。複数のスリット１２ｄは、収容部１２を厚み方向に貫通する直線状の孔部であり、収容部１２の周回りに適宜の間隔で配置され且つ周側壁１２ｃの下部から底壁１２ｂに跨って形成されている。
【００１７】
また鍔部１４は、上面視で左右に長尺な略矩形状の平板部位であり、後述する一対の支持部２１，２２に掛け置き可能な左右の寸法を有している。この鍔部１４の右端には、図５を参照して、下方に向けて屈曲している右側屈曲縁１４ａが形成されており、鍔部１４の左端には、下方に向けて屈曲している左側屈曲縁１４ｂが形成されている。そして栽培鉢１０の裏面側には、左右の屈曲縁１４ａ，１４ｂから周側壁１２ｃに跨って形成されている略逆Ｕ字状とされた板状のリブＬＢが設けられている。このリブＬＢは、栽培鉢１０の前後方向に適宜の間隔で形成されており、これら各リブＬＢによって栽培鉢１０が補強されている。また図６を参照して、鍔部１４の前後端にもそれぞれ屈曲端１６ａ，１６ｂが設けられている（なお図１〜図３では、便宜上、前後の屈曲端を省略して栽培鉢を図示する）。これら前後の屈曲端１６ａ，１６ｂの左右には、図８に示すように後述する支持部２１（２２）を挿通可能な略逆Ｕ字状の切欠き部１８が設けられている。
【００１８】
［植物］
また栽培鉢１０にて栽培可能な植物の種類は特に限定しないが、野菜類、果樹類、豆類、イモ類、シソ科葉菜類、セリ科葉菜類、穀類及びキノコ類などの食用作物や、観賞用植物類や樹木類などの非食用作物を例示できる。特に栽培施設２による栽培に適した植物として、野菜類、果樹類、酸性の培地（土壌）を好む植物、上からの散水を好む植物を例示できる。この種の野菜類として、トマトやイチゴなどの果菜類、キャベツやレタスなどの葉菜類、タマネギやアスパラガスなどの茎菜類、ダイコンやニンジンなどの根菜類、ミョウガやブロッコリーなどの花菜類を例示できる。また果樹類として、パイナップルやマンゴーなどの熱帯果樹類、ブルーベリーやビワなどの亜熱帯果樹類、ブドウやキイチゴなどの温帯果樹類を例示できる。また酸性の培地（土壌）を好む植物として、パイナップルやマンゴーやブルーベリーなどの熱帯果樹類、リンドウやスズランなどの観賞用植物類を例示できる。そして上からの散水を好む植物として、パイナップルなどに代表されるアナナス科の熱帯果樹類や観賞用植物類を例示できる。
【００１９】
［培地］
また栽培鉢１０内に収容される培地は、栽培すべき植物の栽培（生育）に適しているものであればよく、ピートモス、ココヤシピート、赤玉土や鹿沼土等の自然土壌、ガラスビーズ等の人工土壌を例示でき、土壌改良材や防虫剤などの各種薬剤を適宜混合することができる。ここでピートモスとは、ｐｈ５．５以下の強酸性用土であり、水気の多い場所で育った植物（主にコケ類であるが、ヨシ、スゲ、ヌマガヤ、ヤナギなども含む）の堆積物が腐植化した泥炭を乾燥させることで得られる。またココヤシピート（ココピート）は、ｐｈ６以下の弱酸性用土であり、ココナッツ果実の殻由来の繊維を発酵させることで得られる。また土壌改良材として、軽石やパーライトやバーミキュライトやゼオライトなどの多孔質無機物、くん炭、腐葉土、有機性肥料、無機性肥料を例示できる。なかでも多孔質無機物は、培地内の通気性や保水性を高めることができるため土壌改良材として用いることが好ましい。
【００２０】
そして上述の各成分を組み合わせることにより、栽培すべき植物の栽培に適切に用いられる培地を作成でき、この場合には特に培地のｐｈに配慮することが望ましい。例えばトマトは、微酸性の範囲（ｐｈ６．５〜ｐｈ６．０）の培地で栽培でき、イチゴは、微酸性から弱酸性の範囲（ｐｈ６．５〜ｐｈ５．５）の培地で栽培できる。またパイナップルやマンゴーやブルーベリーは弱酸性の範囲（ｐｈ６．０未満ｐｈ５．０以上）の培地で栽培できる。そこでｐｈ５．５以下のピートモスを培地に適量混合することにより、上述のｐｈの範囲に調整された培地を得ることができる。例えば培地の全量１００質量％に対して、ｐｈ５．０未満のピートモス５５質量％〜６５質量％と、ｐｈ７．５〜ｐｈ５．５の多孔質無機物３５質量％〜４５質量％とを含むことで、保水性と通気性を備えた弱酸性の培地を得ることができる（パイナップルに最適な培地の具体例は後述）。
【００２１】
［架台（支持部）］
栽培施設２中の複数の架台２０（典型的に金属製）は、それぞれ対応する栽培鉢１０を支持可能な枠体であり、栽培施設２内において左右に適宜の間隔で並べて配置できる（各架台２０の詳細な配置手法は後述）。そして複数の架台２０は略同一構成を有しており、図７及び図８を参照して、左右一対の支持部２１，２２と、前後一対の仕切枠体２３，２４と、梯子補強部２６を有している。右側の支持部２１と左側の支持部２２は、それぞれ前後方向に向けて概ね水平に延長している円柱状の部材であり、上下方向において略同位置で並列した状態で配置されている。これら左右一対の支持部２１，２２は、左右に適宜の間隔で離間しており、これら両支持部２１，２２の間に栽培鉢１０の収容部１２を配置可能である。
【００２２】
また左右一対の支持部２１，２２の前端と後端は前後一対の仕切枠体２３，２４にて支持されている。これら前側の仕切枠体２３と後側の仕切枠体２４は、上下方向に長尺な略矩形の枠体であり、略同一の基本構成を有して前後対称に配置されている。例えば前側の仕切枠体２３は、図８を参照して、上下に延長している右側支柱２３ａ及び左側支柱２３ｂと、上下一対の補強柱２３ｃ，２３ｄを有している。右側支柱２３ａと左側支柱２３ｂは、栽培施設２内の地面ＧＲから起立する柱状の部位であり、一対の支持部２１，２２に倣って左右方向に適宜の間隔をあけて配置されている。また上下一対の補強柱２３ｃ，２３ｄは、右側支柱２３ａと左側支柱２３ｂに橋渡されて固定されている柱状の部位であり、上下に適宜の間隔をあけて配置されている。そして前後一対の仕切枠体２３，２４の間には、図７及び図８を参照して、梯子状の梯子補強部２６が橋渡された状態で固定されている。この梯子補強部２６は、一対の支持部２１，２２の下方において前後方向に延長しており、左右に延長している符号省略の横桟（踏み桟）が前後に適宜の間隔をあけて設けられている。この梯子補強部２６の前端は、前側仕切枠体２３の対応する支柱２３ａ，２３ｂに固定されており、梯子補強部２６の後端は、後側仕切枠体２４の対応する支柱（図示省略）に固定されている。
【００２３】
そして本実施例の架台２０では、左右一対の支持部２１，２２が、前後一対の仕切枠体２３，２４に固定されて、栽培施設２内の地面ＧＲの上方に掛け渡された状態で配置されている。ここで図７を参照して、栽培施設の地面ＧＲに対する一対の支持部２１，２２の高さ位置Ｈ１は、支持された栽培鉢１０が地面ＧＲに接しないならば特に限定しない。例えば高さ寸法２５ｃｍの栽培鉢１０を想定した場合、一対の支持部２１，２２の高さ位置Ｈ１を、地面ＧＲの３０ｃｍ上方（好ましくは４０ｃｍ以上上方）に設定することができる。さらに架台２０は、前後一対の仕切枠体２３，２４及び梯子補強部２６にて補強されているため、左右一対の支持部２１，２２を前後に比較的長く延長したとしてもこれらを好適に支持しておくことができる。ここで図７に示す各支持部２１，２２の前後の寸法Ｌ１は支持すべき栽培鉢１０の数に応じて適宜設定可能である。例えば典型的なパイナップル栽培においては、前後の寸法が概ね３０ｃｍの鍔部１４を備えた栽培鉢１０を使用できる。この場合には、一対の２１，２２の長さ寸法Ｌ１を、パイナップル収穫時（間引き後）における３５０〜４５０鉢の栽培鉢１０を適度な余裕をもって支持できるように調整することが望ましい。
【００２４】
［散水装置］
複数の散水装置３０は、図１〜図３を参照して、栽培鉢１０内の植物に上方から散水可能な装置であり、それぞれ各栽培鉢１０よりも栽培施設２の切妻屋根６に近い上方に配置されている（各散水装置３０の詳細な配置手法は後述）。各散水装置３０は、栽培施設２内に掛け渡されている支持体３２に支持されており、この支持体３２は、栽培施設２の地面ＧＲから適宜の位置で起立する複数の支柱３４に支持された状態で、栽培施設２内の縦横に掛け渡されている。また支持体３２の上側には、小型の送風ファン５ａが固定されており、この小型の送風ファン５ａによって施設内に空気の流れを作り出すことができる。そして各散水装置３０は、各散水装置３０を中心に放射状に散水可能であり、後述するように散水装置３０の散水口を中心とした一定寸法の円領域３０Ａ内の栽培鉢１０に散水可能である（図２では、各散水装置の散水可能な円領域３０Ａを破線の丸で図示している）。ここで散水装置３０の散水方式は特に限定しないが、典型的にはミスト状又は液滴状の水分を放射状に散水可能であり、複数の植物に均等に潅水する観点からミスト状に散水することが望ましい。
【００２５】
［栽培施設の使用例（架台の設置例）］
以下に図１〜図３を参照して、複数のパイナップルＰを栽培する場合を想定した栽培施設２の使用例を説明する。このときパイナップルＰの株数に応じた複数の栽培鉢１０を配置する必要上、栽培施設２の中に複数の架台２０を設置して、各架台２０に設けられている一対の支持部２１，２２を栽培施設２の前後に延設する。そして栽培施設２の中に、栽培作業の効率化の観点などから、複数の架台２０が密集して配置された島と、架台２０が配置されていない通路を設けることができる。例えば本実施例では、４個の島（第一の島４１〜第四の島４４）が設けられており、各島４１〜４４では、４つの架台２０が密集して配置されている。そして栽培施設２の右から左に、第一の島４１〜第四の島４４がこの順で設けられている。また隣り合う島同士の間の間隔をあけておくことで、隣り合う島と島の間に通路５１〜５３が形成されている。すなわち第一の島４１と第二の島４２の間に右側の通路５１が設けられ、第二の島４２と第三の島４３の間に中央の通路５２が設けられ、第三の島４３と第四の島４４の間に左側の通路５３が設けられている。
【００２６】
［培地の具体例及び栽培鉢の配置例］
そして複数の栽培鉢１０にはパイナップルＰ一株がそれぞれ植えられている。このように栽培鉢１０を用いてパイナップルＰを一株毎に栽培することでパイナップルＰの根量を極力一定にすることができる。またパイナップルＰは、上述のように酸性の培地を好む植物であるため、栽培鉢１０には、パイナップルＰの栽培に適した弱酸性の培地を収容しておく。すなわち酸性の培地として、ピートモスとココヤシピートの少なくとも一方と、多孔質無機物とを混合することでｐｈ６未満に調整された培地を用いる。例えば本実施例では、ｐｈ３．９程度のピートモス６０質量％と、多孔質無機物としてのｐｈ７．０程度の軽石（小粒もしくは中粒が好ましい）４０質量％とを混合することにより、ｐｈ５．５〜ｐｈ５．０の範囲に調整された培地を得ることができる。このように培地を弱酸性に調整するとともに、軽石にて保水性や通気性を高めることにより、パイナップルＰの栽培に適した培地とすることができる。
【００２７】
そしてパイナップルＰ一株と培地を収容した栽培鉢１０を、各架台２０に設けられている一対の支持部２１，２２の間に掛け置きして前後に並べておく。こうして複数の栽培鉢１０が、一対の支持部２１，２２の間に支持されることで、各支持部の掛け渡し方向である前後方向に並列して配置される。このとき一対の支持部２１，２２によって各栽培鉢１０を左右にバランスよく支持することができる。そして複数の栽培鉢１０は、それぞれ各支持部２１，２２に支持されることで栽培施設２内の地面ＧＲから離間して配置されている。このように各支持部２１，２２によって各栽培鉢１０を栽培施設２内の地面ＧＲから離間させたことで、地面ＧＲ付近の通気性を向上させることができる。さらに各栽培鉢１０を栽培施設２内の地面ＧＲから離間させたことで各栽培鉢１０の排水性が向上し、これにより栽培鉢１０ごとに保有する水分量が異なる（水分量にバラつきが生じる）ことを好適に回避できる。このように本実施例では、栽培施設２内の地面ＧＲ付近の通気性を向上させ且つ各栽培鉢１０の排水性を向上させることにより、複数の栽培鉢１０の中で水分環境及び通気環境に偏りが生じることを極力回避できる。
【００２８】
また各栽培鉢１０は、各々、一対の支持部２１，２２に沿って支持部の掛け渡し方向である前後方向に移動可能とされている。すなわち本実施例では、図５及び図８を参照して、各栽培鉢１０を配置するに際して、各栽培鉢１０の鍔部１４を一対の支持部２１，２２に上から掛け置きしつつ、一対の支持部２１，２２の間に収容部１２を配置する。この状態では鍔部１４の右側屈曲縁１４ａと周側壁１２ｃの間に右側の支持部２１が配置するとともに、鍔部１４の左側屈曲縁１４ｂと周側壁１２ｃの間に左側の支持部２２が配置する。そして各栽培鉢１０の鍔部１４は、一対の支持部２１，２２の上に掛け置きされただけで固定されていない状態である。このため各栽培鉢１０を、一対の支持部２１，２２に沿ってその掛け渡し方向である前後方向に適宜移動させることができる。
【００２９】
［散水装置の設置例］
またパイナップルＰは、上述のように上方からの散水を好む植物であるため、図２を参照して、頭上散水のための複数の散水装置３０を栽培施設２中の適宜の位置に設置する。例えば本実施例では、散水装置３０が、右側の通路５１の前後にそれぞれ設けられ、左側の通路５３の前後にもそれぞれ設けられる。そして左側の通路５３の前後に設けられている各散水装置３０がそれぞれ放射状に適宜の水量で散水することで、第一の島４１と第二の島４２の各栽培鉢１０（パイナップルＰ）に行き渡るように散水することができる（図２に示す右側の円領域３０Ａを参照）。また右側の通路５１の前後に設けられている各散水装置３０がそれぞれ放射状に適宜の水量で散水することで、第三の島４３と第四の島４４の各栽培鉢１０（パイナップルＰ）に行き渡るように散水することができる（図２に示す左側の円領域３０Ａを参照）。さらに本実施例では、複数のパイナップルＰに均等に潅水する観点から、散水装置３０にてミスト状に散水する。このとき外部環境（外気）から隔離された栽培施設２の中で散水しているため、外気中の病気をパイナップルＰに落下させるなどの不具合がほとんどない。このため本実施例によれば、ミストによる病気伝染を好適に回避しつつ、各散水装置３０によってパイナップルＰに上方から適宜のタイミングで潅水できる。そして１日定量の水を与えることで、パイナップルＰの出荷日数をより確実に計算することができる。
【００３０】
そして栽培施設２の中で、各栽培鉢１０を用いてパイナップルＰを栽培することにより、パイナップルＰの品質をより確実に一定にすることができる。すなわち栽培鉢１０を利用してパイナップルＰ一株毎に一定の量の培地を用いることで、パイナップルＰの根量を極力一定にすることが可能となる。また各栽培鉢１０を栽培施設２内の地面ＧＲから離間したことで、栽培施設２内の通気性と各栽培鉢１０の排水性を向上させる（栽培鉢間の通気性と排水性の偏りを極力なくす）ことができる。こうして本実施例では、栽培鉢１０を用いてパイナップルＰの根量を一定とし、さらに各栽培鉢１０の通気性と排水性の偏りの発生を極力排除することにより、複数のパイナップルＰをより確実に一定品質で栽培することができる。さらにパイナップルＰの栽培に最適な酸性の培地と最適な散水条件（ミストによる頭上散水）により、パイナップルＰの栽培期間を好適に短縮することが可能となる。すなわち典型的な露地栽培において通常出荷までに２年程度かかるパイナップルＰの栽培期間を大幅に短縮することができる（例えば概ね半年短縮することが可能となる）。
【００３１】
またパイナップルＰの成長に合わせて間引きを行う（本実施例では株間を広げる）のであるが、このとき各栽培鉢１０は、上述の通り各支持部２１，２２に沿って前後方向に移動可能とされている。このため間引き作業の際に、隣り合う栽培鉢１０を互いに離間させる向きにバランスを保ったまま移動させることで、隣り合う栽培鉢１０同士の間隔（株間）を適切に広げることができる。このため本実施例では、間引きの作業の際にパイナップルＰを土壌から掘り起こす必要がなく、パイナップルＰの間引き作業を露地栽培に比して格段に簡略化することができる。また本実施例では、隣り合う栽培鉢１０を互いに離間させるだけでよいため、間引き作業に伴うパイナップルＰの廃棄ロスを低減できる。
【００３２】
以上説明した通り本実施例では、各栽培鉢１０で植物を栽培することにより、地続きの土壌を用いた場合に比して各植物の根量を極力一定にすることが可能となる。さらに支持部２１，２２によって各栽培鉢１０を栽培施設２内の地面ＧＲから離間させたことで、栽培施設内の通気性を向上させるとともに、各栽培鉢１０の排水性を向上させることができる。このとき一対の支持部２１，２２によって各栽培鉢１０を左右にバランスよく支持することができる。そして各栽培鉢１０を、植物の成長に応じて互いに離間させる向きにバランスを保ったまま移動させることができるため、栽培作業（間引きの作業など）を露地栽培に比して格段に簡略化することができる。また本実施例では、散水装置３０によって上方から植物に散水することができるため、例えばパイナップルＰに代表される上方からの散水を好む植物を好適に栽培することができる。そして所望の酸性を備えた培地を用いることで、パイナップルＰに代表される酸性の培地を好む植物を好適に栽培することができる。このため本実施例によれば、複数の植物をより確実に一定品質で栽培可能な栽培施設２を提供することができる。
【００３３】
［実施例２］
実施例２の栽培施設２Ａでは、実施例１の栽培施設とほぼ同一の基本構成を備える構成については、対応する符号を付す等して詳細な説明を省略する。図９に示す実施例２の栽培施設２Ａは、実施例１の栽培施設と概ね同一の基本構成（壁体４，送風ファン５，切妻屋根６，複数の散水装置３０等）を有している。また栽培施設２Ａの中には複数の基台６０（詳細後述）が設置されているとともに、各基台６０には、複数の支持部（７１〜７６，７８ｂ）を備えた仕切枠体７０（詳細後述）と、複数の栽培鉢１０とが支持されている。そして本実施例の栽培施設２Ａでは、基台６０によって複数の支持部（７１〜７６，７８ｂ）の傾倒状態を変更可能である点と、各基台６０が走行可能とされている点が実施例１の栽培施設と異なっている。
【００３４】
ここで壁体４と切妻屋根６の適所には、通気窓７と、開放部８が設けられている。そして栽培施設２Ａの南向き（図９では左向き）の通気窓７からは施設内に日光を取入れることが可能である。また開放部８は、栽培施設２Ａの内外を連通する通路であり、壁体４の適宜の位置に設けられている。この開放部８には図示しないドアが開閉可能に取付けられており、このドアを開き状態とすることにより、後述する基台６０の通過を許容することができる。また栽培施設２Ａの外には、給水装置と、培地の保管場所や、培地又は母茎の廃棄場所（図示省略）が設けられている。
【００３５】
［基台］
そして栽培施設２Ａ内には、図９に示すように複数の基台６０を設置することができる。これら複数の基台６０は、概ね同一の基本構成を有しているため、一つの基台６０を一例にその詳細を説明する。この基台６０は、図９〜図１２を参照して、後述する仕切枠体７０が上部側に取付けられているとともに、台車部６２と、保持部６４と、ヒンジ部６６と、維持部６８とを有している（図９では、便宜上、一つの基台にのみ各部を示す符号を付している）。なお基台６０では、仕切枠体７０と台車部６４と保持部６４とを分割することが可能である。そして基台６０を運搬する際には、仕切枠体７０と台車部６４と保持部６４とを分割しておくことで、組立済みの基台６０を運搬する場合に比して手軽且つ低コストで運搬することができる。なお台車部６４には、後述するように複数の車輪６３ａ，６３ｂが取付けられているが、運搬時には、台車部６４から各車輪６３ａ，６３ｂを取外しておくこともできる。
【００３６】
［台車部］
台車部６２は、図１０〜図１２を参照して、前後方向に長尺な矩形の枠体であり、複数の第一車輪６３ａと、複数の第二車輪６３ｂとを備えている。この台車部６２は、前後方向に延びている長尺な柱材（第一柱材６２ａ，第二柱材６２ｂ）と、左右方向に延びている短尺な柱材（第三柱材６２ｃ，第四柱材６２ｄ）とを上方視で矩形に組むことで形成されている。また第三柱材６２ｃと第四柱材６２ｄの間には補強柱材６２ｅが配置されており、この補強柱材６２ｅが、前後方向の概ね中央位置で第一柱材６２ａと第二柱材６２ｂの間に橋渡されて固定されている。また台車部６２の下面には、後述する複数の第一車輪６３ａと第二車輪６３ｂがブラケットＢＲを介して取付けられている。そして基台６０（台車部６２）を所望の方向に押して（又は引いて）、各第一車輪６３ａと各第二車輪６３ｂを地面ＧＲ上で回転させることにより、基台６０（台車部６２）を地面ＧＲ上で走行させることができる。
【００３７】
ここで第一車輪６３ａは、図１０を参照して、台車部６２左端において前端と後端と中央に分かれて配置されたタイヤ状の部材であり、前後に延びる第一柱材６２ａと左右に延びる各柱材（６２ｃ〜６２ｅ）との交差部分に配置されている。また第二車輪６３ｂは、図１２を参照して、台車部６２の右端において前端と後端と中央に分かれて配置されたタイヤ状の部材であり、前後に延びる第二柱材６２ｂと左右に延びる各柱材（６２ｃ〜６２ｅ）との交差部分に配置されている。そして各車輪６３ａ，６３ｂは同一構成のブラケットＢＲによって台車部６２に取付けられている。このブラケットＢＲは、図１３を参照して、概ね逆Ｕ字状の板材で構成されており、台車部６２下面の適宜の位置に取付けられている。そしてブラケットＢＲには、概ね水平に延びる軸部ＡＭが固定されており、この軸部ＡＭ周りに回転可能な状態で第一車輪６３ａ等が取付けられている。またブラケットＢＲ自体は、垂直に延びている軸部（図示省略）を介して台車部６２に取付けられており、この垂直に延びる軸部周りに回転可能（３６０°回転可能）とされている。なおブラケットＢＲには、第一車輪６３ａ又は第二車輪６３ｂの回転を規制するブレーキ機構（図示省略）が設けられている。そしてブレーキ機構を操作して対応する第一車輪６３ａ又は第二車輪６３ｂの回転を止めることにより、台車部６２を適宜の位置で停止させて配置させておく（設置しておく）ことができる。
【００３８】
［保持部］
保持部６４は、図１０〜図１２を参照して、台車部６２上に傾倒可能な状態で取付けられている概ね矩形の枠体であり、後述する仕切枠体７０を取付けることができる。この保持部６４は、前後方向に延びている長尺な保持板材（第一保持板材６４ａ，第二保持板材６４ｂ）と、左右方向に延びている短尺な保持板材（第三保持板材６４ｃ，第四保持板材６４ｄ）とを矩形に組むことで形成されている。そして保持部６４の前後左右の長さ寸法は台車部６２と概ね同一とすることができ、保持部６４の左右の長さ寸法を台車部６２よりも若干長尺にすることもできる。また第三保持板材６４ｃと第四保持板材６４ｄの間には補強保持板材６４ｅが配置されており、この補強保持板材６４ｅが、前後方向の概ね中央位置で第一保持板材６４ａと第二保持板材６４ｂの間に橋渡されて固定されている。これら各保持板材６４ａ〜６４ｅは、保持部６４を台車部６２上に取付けた状態において、台車部６２の対応する各柱材６２ａ〜６２ｅ（符号のアルファベットが一致する柱材）に概ね一致する位置に配置される。
【００３９】
そして第三保持板材６４ｃと第四保持板材６４ｄと補強保持板材６４ｅは左右方向において概ね同一の形状を有しているとともに、左右方向途中で上方に向けて屈曲している。例えば図１１に示す第三保持板材６４ｃは、左端側に設けられている直線部位６５ａと、この直線部位６５ａから上方に屈曲している傾斜部位６５ｂとを有している。そして直線部位６５ａを台車部６２の上面に沿って概ね水平に配置した状態においては、傾斜部位６５ｂが、右方に向かうにつれて次第に上方に直線状に傾斜している。なお傾斜部位６５ｂは、直線部位６５ａに比して左右方向の寸法が長尺とされている。さらに第三保持板材６４ｃ等の上面には、後述する仕切枠体７０を取付けるための孔部（図示省略）が適宜の位置に設けられている。
【００４０】
［ヒンジ部］
保持部６４は、図１０〜図１２を参照して、ヒンジ部６６を介して台車部６２に取付けられるとともに、ヒンジ部６６によって、台車部６２に対して所望の角度に傾倒可能とされている。このヒンジ部６６は、図１０を参照して、台車部６２と保持部６４の前端と後端と中央に分かれて配置されているとともに、図１１に示すように台車部６２の左側と保持部６４の左側（直線部位６５ａ）を連結している。すなわちヒンジ部６６は、前側の第三柱材６２ｃと第三保持板材６４ｃとの間と、後側の第四柱材６２ｄと第四保持板材６４ｄとの間と、中央の補強柱材６２ｅと補強保持板材６４ｅとの間にそれぞれ設けられている。そして各ヒンジ部６６は概ね同一の構成を有しているため、以下に、後側のヒンジ部６６を一例にその詳細を説明する。
【００４１】
この後側のヒンジ部６６は、図１３を参照して、保持部６４側の上側ヒンジ部位６６ａと、台車部６２側の一対の下側ヒンジ部位６６ｂと、ボルト状の軸部材６６ｃで構成されている。上側ヒンジ部位６６ａは、保持部６４の下面から下方に突出している板状の部位であり、第四保持板材６４ｄの直線部位６５ａの右端側に配置されている。また一対の下側ヒンジ部位６６ｂは、台車部６２の上面から上方に突出している板状の部位であり、前後に適宜の間隔をあけて配置されている。本実施例では、一対の下側ヒンジ部位６６ｂの間に上側ヒンジ部位６６ａを挿入したのち、これら両ヒンジ部位６６ａ，６６ｂを軸部材６６ｃで回転可能に連結する。すなわち上側ヒンジ部位６６ａと各下側ヒンジ部位６６ｂには、それぞれ前後に開口する軸孔（図示省略）が設けられており、これらの軸孔に、軸部材６６ｃを前後方向から挿入しつつナットＮＴを螺合しておく。こうすることで図１５及び図１６に示すように、保持部６４を、軸部材６６ｃを中心に台車部６２に対して傾倒させることが可能となる。なお保持部６４の傾斜状態の調整に際しては、軸部材６６ｃとナットＮＴの締結を緩めておき、後述する維持部６８の維持部材６８ｅを取付けたのち、軸部材６６ｃとナットＮＴとをしっかり締結する。
【００４２】
［維持部］
また保持部６４の傾倒状態は、図１１及び図１２を参照して、維持部６８によって維持することができる。この維持部６８は、図１２を参照して、台車部６２と保持部６４の前端と後端と中央に分かれて配置されているとともに、図１１に示すように台車部６２の右側と保持部６４の右側（傾斜部位６５ｂ）を連結している。すなわち維持部６８は、前側の第三柱材６２ｃと第三保持板材６４ｃとの間と、後側の第四柱材６２ｄと第四保持板材６４ｄとの間と、中央の補強柱材６２ｅと補強保持板材６４ｅとの間にそれぞれ設けられている。そして各維持部６８は概ね同一の構成を有しているため、以下に、後側の維持部６８を一例にその詳細を説明する。
【００４３】
この後側の維持部６８は、図１１を参照して、保持部６４側の一対の各上側維持部位６８ａ〜６８ｃと、台車部６２側の一対の下側維持部位６８ｄと、維持部材６８ｅで構成されている。そして保持部６４には、一対の上側維持部位（６８ａ〜６８ｃ）が複数設けられている。これら一対の各上側維持部位６８ａ，６８ｂ，６８ｃは、概ね同一の基本構成を有しているとともに、この順で左から右に適宜の間隔をあけて配置されている。例えば図１４及び図１５に示す一対の上側維持部材６８ｂは、第四保持板材６４ｄの傾斜部位６５ｂの下面から下方に突出している板状の部位であり、前後に適宜の間隔をあけて配置されている。また一対の下側維持部位６８ｄは、台車部６２の上面から上方に突出している板状の部位であり、前後に適宜の間隔をあけて配置されている。そして維持部材６８ｅは、上下に長尺なパイプ状の部材であり、一対の各上側維持部位６８ａ〜６８ｃのいずれかと、一対の下側維持部位６８ｄとの間に橋渡し状に取付けることができる。この維持部材６８ｅの上端と下端は、概ね平坦となるように前後に圧縮変形しているとともに、それぞれ前後に開口する締結孔（図示省略）が設けられている。
【００４４】
本実施例では、図１１を参照して、ヒンジ部６６にて台車部６２に対して保持部６４を傾かせたのち、この保持部６４の傾倒状態を維持するように維持部６８を構成する。このとき保持部６４の傾倒状態に応じて一対の上側維持部位６８ａ〜６８ｃのいずれかを選択し、この選択した一対の上側維持部位と一対の下側維持部位６８ｄとの間に維持部材６８ｅを取付ける。例えば図１４を参照して、維持部材６８ｅの上端を一対の上側維持部位６８ｂの間に配置し、維持部材６８ｅの下端を、一対の下側維持部位６８ｄの間に配置する。そして一対の上側維持部位６８ｂには、各々、維持部材６８ｅ上端の締結孔と同軸上で且つ前後に開口する締結孔（図示省略）が設けられている。そこで一対の上側維持部位６８ｂと維持部材６８ｅ上端の締結孔に、ボルト材ＢＭを前後方向から挿入しつつナットＮＴを螺合しておく。また一対の下側維持部位６８ｄにも、各々、維持部材６８ｅ下端の締結孔と同軸上で且つ前後に開口する締結孔（図示省略）が設けられている。そこで一対の下側維持部位６８ｄと維持部材６８ｅ下端の締結孔に、ボルト材ＢＭを前後方向から挿入しつつナットＮＴを螺合しておく。こうして各維持部位６８ｂ，６８ｄの間に締結して取付けられた維持部材６８ｅが、台車部６２から起立して保持部６４を下支えすることにより、保持部６４を、台車部６２に対する所望の傾倒状態で維持しておくことができる。
【００４５】
［仕切枠体（複数の支持部）］
仕切枠体７０は、図１１を参照して、左から右に向かうにつれて次第に上方に向かうように階段状に組まれている枠体である。この仕切枠体７０は、図１０〜図１２を参照して、複数の上側支持部（第一上側支持部７１〜第六上側支持部７６）と、複数の連結部７８ａと、複数の下側支持部７８ｂと、支持部材ＳＭとを有している。第一上側支持部７１〜第六上側支持部７６は、それぞれ前後方向に延びている円柱状の部材（棒状又はパイプ状）であり、概ね同一の基本構成を有している。例えば第一上側支持部７１を一例にその詳細を説明すると、この第一上側支持部７１は、仕切枠体７０の左端で前後方向に延びているとともに、図１０に示す三対の支持脚７１ａが設けられている。これら各支持脚７１ａは、第一上側支持部７１から下方に延長している円柱状の部材であり、保持部６４の第三保持板材６４ｃと第四保持板材６４ｄと補強保持板材６４ｅに概ね一致する位置に配置されている。これら各支持脚７１ａの下端は、対応する保持枠の上面に設けられている孔部（図示省略）に挿入することが可能である。また他の上側支持部７２〜７６にも、同様に三対の支持脚（７２ａ〜７６ａ）がそれぞれ設けられており、各支持脚（７２ａ〜７６ａ）の下端は、対応する保持枠の上面に挿入可能である。
【００４６】
そして第一上側支持部７１〜第六上側支持部７６は、図１１に示すようにこの順で左方から右方に配置されているとともに、右側に配置されている支持部のほうが一段高くされている。すなわち最も左側に配置されている第一上側支持部７１に対して、その右側に配置されている第二上側支持部７２が一段高い位置に配置されている。また第三上側支持部７３と第四上側支持部７４と第五上側支持部７５とが同様の配置関係で配置され、さらにこれら上側支持部７３〜７５は右側に向かうにつれて順次一段高くされている。そして最も右側に配置されている第六上側支持部７６が最も上方に配置されており、さらにその右側には上方に張出している矩形の枠体で構成された支持部材ＳＭが配置されている。なお支持部材ＳＭの下端も、対応する保持枠の上面に設けられている孔部（図示省略）に挿入することが可能である。
【００４７】
また図１１を参照して、左右方向に隣り合う上側支持部同士の間には複数の連結部７８ａと下側支持部７８ｂとが橋渡されて固定されている。ここで各上側支持部７１〜７６の間の連結部７８ａと下側支持部７８ｂは概ね同一の基本構成を有しているため、以下に、第一上側支持部７１と第二上側支持部７２の間に配置されている連結部７８ａと下側支持部７８ｂを一例にこれらの詳細を説明する。すなわち複数の連結部７８ａは、それぞれ支持脚７１ａに直交するように（図１１では概ね水平に）左右方向に延びている円柱状の部材であり、第一上側支持部７１の上端から第二上側支持部７２の間に架け渡されて固定されている。これら各連結部７８ａは、図１０に示すように両上側支持部７１，７２の前端と後端と中央にそれぞれ設けられており、概ね対応する支持脚７１ａと一致する位置に配置されている。
【００４８】
また下側支持部７８ｂは、図１１に示すように各連結部７８ａと平行となるように左右方向に延びている部材であり、第一上側支持部７１の下部と第二上側支持部７２の間に架け渡されて固定されている。この下側支持部７８ｂは、平板状又は梯子状の部材で構成されており、栽培鉢１０を下側から支持することが可能である。そして第一上側支持部７１とその下方の下側支持部７８ｂとの間には栽培鉢１０の高さ寸法と概ね同一のスペースが設けられている。このため後述するように第一上側支持部７１と第二上側支持部７２の間に栽培鉢１０を収まりよく配置し、さらに栽培鉢１０を下側支持部７８ｂで下支えすることが可能となる。またその他の上側支持部７２〜７５においても複数の連結部７８ａと下側支持部７８ｂとが橋渡されて固定されている。そして最も右側に配置されている第六上側支持部７６と支持部材ＳＭの間にも複数の連結部７８ａと下側支持部７８ｂとが橋渡されて固定されている。
【００４９】
そして本実施例においては、図１０〜図１２を参照して、仕切枠体７０を基台６０上に取付けることにより、仕切枠体７０の各支持部（７１〜７６，７８ｂ）を、栽培施設２Ａ内の地面ＧＲの上方に掛け渡しておくことができる。このとき保持部６４の上面に仕切枠体７０を配置しつつ、各上側支持部７１〜７６の支持脚７１ａ〜７６ａの下端と支持部材ＳＭの下端を、保持部６４の各保持板材６４ｃ〜６４ｅの孔部に挿入しておく。そしてこの状態では、各上側支持部７１〜７６及び下側支持部７８ｂが、保持部６４の直線部位６５ａと傾斜部位６５ｂに沿って階段状に配置されることとなる。
【００５０】
［栽培鉢の配置例］
図１５を参照して、仕切枠体７０で栽培鉢１０を保持するに際しては、左右に隣り合う上側支持部の間に、それぞれ栽培鉢１０を配置しておくことができる。このとき例えば第一上側支持部７１と第二上側支持部７２との間に栽培鉢１０を差込みつつ、栽培鉢１０の鍔部１４を第一上側支持部７１に掛け置きして、栽培鉢１０の底側を下側支持部７８ｂ上に配置しておく。こうすることで第一上側支持部７１と下側支持部７８ｂによって栽培鉢１０を安定感よく支持することができる。さらに図１５に示すように他の上側支持部７３〜７６及び支持部材ＳＭの間にそれぞれ同様の手順で栽培鉢１０を配置することで、栽培鉢１０が、左右方向に段差状に配置されることとなる。そして栽培鉢１０を段差状に並べておくことにより、左右に隣り合う栽培鉢１０同士が上下に離間して配置される。このため各栽培鉢１０で栽培される植物（図１５ではパイナップルＰ）が、隣の植物や栽培鉢等に極力邪魔されることなく枝や葉を伸ばすことが可能となる。
【００５１】
そして本実施例においては、図１０に示すように左右に隣り合う上側支持部（例えば第一上側支持部７１と第二上側支持部７２）の間に複数の栽培鉢１０を前後に並列して配置しておくことができる。このとき第一上側支持部７１と第二上側支持部７２の間に三対の連結部７８ａが橋渡されて固定されている。そこで前側の連結部７８ａと中央の連結部７８ａの間に、複数の栽培鉢１０を前後に並べて配置することができ、同様に後側の連結部７８ａと中央の連結部７８ａの間にも、複数の栽培鉢１０を前後に並べて配置することができる。そして各栽培鉢１０は、各上側支持部７１等と下側支持部７８ｂによって支持されることで、栽培施設２Ａ内の地面ＧＲから離間して配置されている。このように本実施例においても、各支持部７１等，７８ｂにて栽培鉢１０を栽培施設２Ａ内の地面ＧＲから離間させたことで、地面ＧＲ付近の通気性を向上させることができる。さらに各栽培鉢１０を栽培施設２Ａ内の地面ＧＲから離間させたことで各栽培鉢１０の排水性が向上し、これにより栽培鉢１０ごとに保有する水分量が異なることを好適に回避できる。
【００５２】
［栽培施設の使用例（基台の設置例）］
以下に図９を参照して、複数のパイナップルＰを栽培する場合を想定した栽培施設２Ａの使用例を説明する。このときパイナップルＰの株数に応じた複数の栽培鉢１０を配置する必要上、栽培施設２Ａの中に複数の基台６０を前後に並列して設置して、各基台６０の仕切枠体７０を栽培施設２Ａの前後に延設する。そして栽培施設２Ａの中に、栽培作業の効率化の観点などから、基台６０が配置された島と、基台６０が配置されていない通路を設けることができる。例えば本実施例では、実施例１と同様に４個の島（第一の島４１〜第四の島４４）が設けられており、各島４１〜４４では、複数の基台６０が前後に並列して（密集して）配置されている。そして栽培施設２Ａの右から左に、第一の島４１〜第四の島４４がこの順で設けられている。また隣り合う島同士の間の間隔をあけておくことで、隣り合う島と島の間に通路５１〜５３が形成されている。
【００５３】
［栽培鉢内への培地の収容作業］
ところで本実施例では、上述の各基台６０の設置に先立って、複数の栽培鉢１０に培地を収容したのち、各栽培鉢１０にパイナップルＰ一株がそれぞれ植えられる。そして培地の保管場所は、上述の通り栽培施設２Ａ外に設けられている。そこで各基台６０を、各支持部７１〜７６，７８ｂに支持された栽培鉢１０とともに培地の保管場所に移動させておく。そして培地の保管場所で各栽培鉢１０に培地を収容したのち、各基台６０を、栽培施設２Ａの開放部８を通じて栽培施設２Ａ外から栽培施設２Ａ内に移動させて、栽培施設２Ａ内の各島４１〜４４に配置させておくことができる。なお開放部８を通じて栽培施設２Ａの内外に延びるベルトコンベア（図示省略）を配置し、このベルトコンベアで培地を栽培施設２Ａ内に運び入れることもできる。この場合には、各基台６０を、栽培施設２Ａ内のベルトコンベア付近に移動させて各栽培鉢１０に培地を収容したのち、各島４１〜４４に向けて移動させることとなる。
【００５４】
［保持部の傾倒］
また栽培施設２Ａに各基台６０を設置するに際しては、栽培鉢１０内のパイナップルＰに日光が当たるように配慮する必要がある。そして栽培施設２Ａの南側（図９の左側）には、日光を取入れるための複数の通気窓７が設けられている。そこで各栽培鉢１０のパイナップルＰに日光を当てるために、各基台６０の保持部６４を、南側（図９の左側）に向けつつ、左側から右側に向かうにつれて次第に上方に傾斜させておく（季節に応じた傾倒状態の詳細は後述）。こうすることで各栽培鉢１０内のパイナップルＰに日光を適切に当てておくことができる。さらに本実施例では、各上側支持部７１〜７６と連結部７８ａなどを円柱状の部材で構成している。そして円柱状とされた各上側支持部７１〜７６と連結部７８ａは、角柱のような日光を遮る角部がないため、各栽培鉢１０のパイナップルＰに日光がよく当たる構成となっている。また本実施例では、各上側支持部７１〜７６及び各下側支持部７８ｂを段差状に設けて、左右に隣り合う支持部同士を上下方向にずらして配置させている。このため左右に隣り合って栽培されているパイナップルＰ同士の葉が擦れ合うといった事態の発生を好適に低減でき、各パイナップルＰの葉に日光を適切に当てておくことができる。
【００５５】
ところで太陽は、一年を通して同じ位置にあるわけではなく、夏頃には相対的に高い位置にあり、秋から冬頃にかけて次第に低い位置に移動していく。そこで本実施例においては、図１５を参照して、基台６０にヒンジ部６６と維持部６８を設け、保持部６４（傾斜部位６５ｂ）を、各支持部７１〜７６，７８ｂとともに適宜の傾斜角度（θ）で傾倒させてその傾倒状態を維持できる。なお夏頃においては、太陽が相対的に高い位置にあることを考慮して、保持部６４を、図１５及び図１６に示すように台車部６２に対して概ね水平に寝かせた第一段階（Ａ）（θ≒０°）としておくことができる。
【００５６】
さらに本実施例では、季節ごとの太陽の位置に応じて、保持部６４の傾斜角度（θ）を複数段階（第二段階（Ｂ）〜第五段階（Ｅ））で調整することが可能となっている。すなわち図１５を参照して、第二段階（Ｂ）の傾斜角度は、第一段階（Ａ）よりも急角度であり、年間を通じた太陽の平均位置を考慮した保持部６４の傾斜角度に設定されている。そこで保持部６４の傾斜角度を第二段階（Ｂ）で維持するには、最も右側の上側維持部位６８ｃと下側維持部位６８ｄとの間に維持部材６８ｅを取付けておく。なお第二段階（Ｂ）〜第五段階（Ｅ）における保持部６４の傾斜角度は、栽培施設が設けられる地域毎に設定可能であり、例えば沖縄県では、第二段階（Ｂ）における保持部６４の傾斜角度θを１７°〜１９°（好ましくは１８°）に設定できる。
【００５７】
また第三段階（Ｃ）の傾斜角度は、第二段階（Ｂ）よりも急角度であり、８月〜９月頃における太陽の位置を考慮した保持部６４の傾斜角度に設定されている。そこで保持部６４の傾斜角度を第三段階（Ｃ）で維持するには、中間位置の上側維持部位６８ｂと下側維持部位６８ｄとの間に維持部材６８ｅを取付けておく。また第四段階（Ｄ）の傾斜角度は、第三段階（Ｃ）よりも急角度であり、９月〜１１月頃における太陽の位置を考慮した保持部６４の傾斜角度に設定されている。そこで保持部６４の傾斜角度を第四段階（Ｄ）で維持するには、最も左側の上側維持部位６８ａと下側維持部位６８ｄとの間に維持部材６８ｅを取付けておく。そして第五段階（Ｅ）の傾斜角度は、第四段階（Ｄ）よりも急角度であり、１２月〜２月頃における太陽の位置を考慮した保持部６４の傾斜角度に設定されている。そこで保持部６４の傾斜角度を第五段階（Ｅ）で維持するには、図１６を参照して、最も左側の上側維持部位６８ａと下側維持部位６８ｄとの間に、相対的に長尺とされた別の維持部材６８ｆを取付けておく。
【００５８】
このように本実施例では、保持部６４の傾斜状態を調整することで、各支持部７１〜７６，７８ｂに支持されている各栽培鉢１０内のパイナップルＰを、一年を通して日光がより多く当たる状態で栽培施設２Ａ内に配置しておくことができる。そして図１５及び図１６に示すように保持部６４を第五段階（Ｅ）とする頃には、パイナップルＰが大きく成長して枝や葉が左右に大きく張出している。この第五段階（Ｅ）の保持部６４は、図１６に示すように台車部６２に対して傾斜角度が最も大きくされて、保持部６４の右端が、最初の第一段階（Ａ）の状態に比して寸法Ｗ１だけ左側に寄っている。こうして通路５１の上方を（寸法Ｗ１分）相対的に広くして、パイナップル収穫時における通路５１の幅を大きくとることにより、パイナップル収穫時などにおける作業性の向上に資する構成となっている。そして収穫後においては、各基台６０を、栽培施設２Ａの開放部８を通じて栽培施設２Ａ外に設けられている培地や母茎の廃棄場所に移動させることができる。
【００５９】
以上説明した通り本実施例では、基台６０にヒンジ部６６と維持部６８を設けたことにより、保持部６４を、各支持部７１〜７６，７８ｂとともに適宜の向きに傾倒させてその傾倒状態を維持することができる。こうすることで各支持部７１〜７６，７８ｂに支持されている栽培鉢１０内の植物（パイナップルＰ等）を、一年を通して日光がより多く当たる状態で栽培施設２Ａ内に配置しておくことができる。また本実施例では、各支持部７１〜７６，７８ｂが取付けられている基台６０を、台車部６２を走行させて栽培施設２Ａの中の所定位置に配置しておくことができる。そして栽培施設２Ａに開放部８を設けておくことにより、基台６０を、各支持部７１〜７６，７８ｂに支持された栽培鉢１０とともに栽培施設２Ａ外（培地の保管場所等）から栽培施設２Ａ内に移動させたのち、栽培施設２Ａ内の適宜の位置に配置させておくことが可能となる。このため本実施例においても、複数の植物をより確実に一定品質で栽培可能な栽培施設２Ａを提供することができる。
【００６０】
本実施形態の栽培施設２，２Ａは、上述した実施形態に限定されるものではなく、その他各種の実施形態を取り得る。例えば本実施形態では、支持部２１，２２の構成（形状，寸法，配置位置，配置数など）を例示したが、支持部の構成を限定する趣旨ではない。例えば梯子状の支持部（単数の支持部の例）を用いることができ、この場合には横桟（踏み桟）に相当する部分の間隔をあけることで栽培鉢の移動を許容し、横桟（踏み桟）に相当する部分の間隔を詰めることで栽培鉢の移動を規制することもできる。また支持部として、断面が円形状の棒材のほか、断面が角形の棒材や平板材を用いることもできる。また支持部は、栽培施設の壁体や屋根に直接固定することもできる。また架台を用いる場合には、この架台の構成を適宜変更可能であり、梯子補強部の数を増やしたり、別の補強構造を適宜用いたりすることもできる。また必要に応じて梯子補強部を省略することもできる。また架台の材質として、支持部を適切に支持できる適宜の素材を選択可能であり、金属のほか、硬質樹脂などの比較的撓みにくい素材を用いることができる。
【００６１】
また本実施形態では、栽培鉢１０の構成（形状，寸法，配置位置，配置数など）を例示したが、栽培鉢の構成は栽培すべき植物等に応じて適宜変更することができる。また散水装置の構成も、栽培すべき植物に応じて適宜変更可能であり、本実施例のような頭上散水のほか、地表散水や側方散水を採用することができ、これら各散水方式を組み合わせて用いることもできる。そして栽培施設２の構成（壁体や屋根の形状、内部スペース、その他の付属装置の構成）も、栽培すべき植物に応じて適宜設定可能である。また栽培施設内における架台（支持部）と栽培鉢の配置位置も適宜変更可能であり、例えば架台（支持部）を栽培施設の中で前後方向と左右方向と斜め方向などの適宜の向きに延長して設置することができる。なお栽培施設の地面は、土壌そのもので形成されていてもよく、土壌の上に設けられた舗装で形成されていてもよい。
【００６２】
また実施例２では、基台６０及び仕切枠体７０の構成（形状，寸法，各部の構成，栽培施設内の配置位置や配置数など）を例示したが、基台の構成を限定する趣旨ではない。例えば台車部や保持部は、円柱や角柱などの柱状又は板状の部材を適宜の形に組むことで形成でき、これらの前後左右の寸法も適宜設定可能である。また台車部と保持部と仕切枠体を一体（分割不能な状態）で構成することもできる。またヒンジ部は、蝶番状の部材で構成することもできる。また保持部の角度調整の段階数や傾斜角度も適宜変更可能である。また維持部は、上下に伸縮可能な維持部材で構成することができる。また保持部も、仕切枠体に倣って側面視で段差状に構成することができる。また台車部は、人力を利用して走行させることができ、電力などを利用して走行させることもできる。また台車部は、車輪の代わりにキャタピラを有していてもよい。また台車部は必要に応じて省略することができ、この場合には、保持部を、走行不能な基台部上にヒンジ部を介して取付けることができる。また保持部を、あらかじめ定められた傾斜状態（傾倒角度の調節のできない状態）で台車部上に取付けることもできる。また仕切枠体の構成も適宜変更可能であり、例えば複数の栽培鉢を、上側支持部の延長方向に相対移動可能な状態で支持しておくこともできる。また保持部に、各栽培鉢を保持可能な支持部（例えば実施例１の支持部）を複数取付けることができる。また実施例１の構成と実施例２の構成は適宜組み合わせて用いることができる。なお下側支持部は、上側支持部に取付けておく必要はなく、連結部によって支持しておくこともできる。
【符号の説明】
【００６３】
２     栽培施設
４     壁体
５     送風ファン
６     切妻屋根
７     通気窓
９     給水装置
９ａ   給水管
９ｂ   開閉弁
９ｃ   手動弁
１０   栽培鉢
１２   収容部
１２ａ 上部開口
１２ｂ 底壁
１２ｃ 周側壁
１２ｄ スリット
１４   鍔部
１４ａ 右側屈曲縁
１４ｂ 左側屈曲縁
１６ａ，１６ｂ  前後の屈曲端
１８   切欠き部
２０   架台
２１   右側の支持部
２２   左側の支持部
２３   前側仕切枠体
２３ａ 右側支柱
２３ｂ 左側支柱
２３ｃ，２３ｄ  補強柱
２４   後側仕切枠体
２６   梯子補強部
３０   散水装置
３２   支持体
３４   支柱
４１〜４４  島
５１〜５３  通路
ＬＢ   リブ
Ｐ     パイナップル（植物の一例）
２Ａ   実施例２の栽培施設
８     開放部
６０   基台
６２   台車部
６２ａ〜６２ｅ  （台車部の）柱材
６３ａ 第一車輪
６３ｂ 第二車輪
６４   保持部
６４ａ〜６４ｅ  （保持部の）保持板材
６５ａ 直線部位
６５ｂ 傾斜部位
６６   ヒンジ部
６６ａ 上側ヒンジ部位
６６ｂ 下側ヒンジ部位
６６ｃ 軸部材
６８   維持部
６８ａ〜６８ｃ  上側維持部位
６８ｄ 下側維持部位
６８ｅ 維持部材
６８ｆ 別の維持部材
７０   仕切枠体
７１〜７６  上側支持部
７１ａ〜７６ａ  支持脚
７８ａ 連結部
７８ｂ 下側支持部
ＡＭ   軸部
ＢＭ   ボルト材
ＢＲ   ブラケット
ＮＴ   ナット
ＳＭ   支持部材
【図１】
2018117612.tif 000003
【図２】
2018117612.tif 000004
【図３】
2018117612.tif 000005
【図４】
2018117612.tif 000006
【図５】
2018117612.tif 000007
【図６】
2018117612.tif 000008
【図７】
2018117612.tif 000009
【図８】
2018117612.tif 000010
【図９】
2018117612.tif 000011
【図１０】
2018117612.tif 000012
【図１１】
2018117612.tif 000013
【図１２】
2018117612.tif 000014
【図１３】
2018117612.tif 000015
【図１４】
2018117612.tif 000016
【図１５】
2018117612.tif 000017
【図１６】
2018117612.tif 000018